(57)【要約】【課題】  ＡＶ信号のみを伝送する装置と比較して発光素子や受光素子の増設を要せずに、ＡＶ信号の伝送とこれと逆方向に送信されるデータ通信とを実現するＡＶ信号の伝送装置ならびに伝送方法を提供する。【解決手段】  ＡＶ信号を送信する第１通信機１０には、ＡＶ信号を受けてＬＥＤ１１の駆動信号を生成する駆動回路１２と、ＬＥＤ１１からの受信信号を入力するＡＮＤ回路１５とを設け、クロック信号ＣＬＫによりＬＥＤ１１の駆動電圧の供給・非供給を切り替えるとともに駆動電圧が非供給状態のときにＡＮＤ回路１５にＬＥＤ１１からの信号を通過させるように構成する。また、ＡＶ信号を受信する第２通信機２０には、受光手段としてＬＥＤ２１を採用するとともに、ＬＥＤ２１の受信信号からクロック信号ＣＬＫの周波数成分を除去してＡＶ信号を抽出させる一方、受信信号がない期間に送信データに基づいてＬＥＤ２１を駆動して発光がなされるように構成する。【選択図】        図１
2006332846.tif 000002
【特許請求の範囲】
【請求項１】
映像信号又は音声信号を光信号により伝送する第１通信機と第２通信機とを有するＡＶ信号の伝送装置であって、
前記第１通信機は、
発光して光信号を出力するとともに外部から光を受光して電気信号に変換する第１発光ダイオードと、
アナログの映像信号又は音声信号を受けてこの信号振幅に応じた前記発光手段の駆動信号を生成する駆動回路と、
前記アナログの映像信号又は音声信号の周波数帯域の上限周波数を上回る第１周波数のパルス信号を生成するパルス生成回路と、
受光に基づく前記第１発光ダイオードの受信信号を内部に取り込む入力回路とを備え、
前記パルス信号により前記発光ダイオードの駆動のオン・オフが切り替えられ、オン状態のときに前記発光ダイオードが駆動されて前記駆動信号に応じた発光がなされる一方、オフ状態のときに前記発光ダイオードの受信信号が前記入力回路に取り込まれるように構成され、
前記第２通信機は、
外部から光を受光して電気信号に変換するとともに発光して光信号を出力する前記第１発光ダイオードと同一素子構造の第２発光ダイオードと、
該第２発光ダイオードの受信信号から前記第１周波数の帯域成分を除去するフィルタ回路と、
前記第１周波数と同一周波数又はそれより低い周波数に相当するビットレートのデジタル送信信号を受けてこの信号と前記第２発光ダイオードの受信信号とに基づいて前記第２発光ダイオードを駆動する論理回路とを備え、
前記論理回路は、前記第２発光ダイオードの受信信号の大きさが閾値以下のときに前記デジタル送信信号に応じて前記第２発光ダイオードを駆動する一方、前記第２発光ダイオードの受信信号の大きさが閾値以上のときに前記第２発光ダイオードを駆動しないように構成されていることを特長とするＡＶ信号の伝送装置。
【請求項２】
映像信号又は音声信号を光信号により伝送する第１通信機と第２通信機とを有するＡＶ信号の伝送装置であって、
前記第１通信機は、
発光して光信号を出力するとともに外部から光を受光して電気信号に変換する第１発光ダイオードと、
アナログの映像信号又は音声信号を受けてこの信号振幅に応じた前記第１発光ダイオードの駆動信号を生成する駆動回路と、
前記アナログの映像信号又は音声信号の周波数帯域の上限周波数を上回る第１周波数のパルス信号を生成するパルス生成回路と、
受光に基づく前記第１発光ダイオードの受信信号を内部に取り込む入力回路とを備え、
前記パルス信号により前記発光ダイオードの駆動のオン・オフが切り替えられ、オン状態のときに前記発光ダイオードが駆動されて前記駆動信号に応じた発光がなされる一方、オフ状態のときに前記発光ダイオードの受信信号が前記入力回路に取り込まれるように構成され、
前記第２通信機は、
外部から光を受光して電気信号に変換するとともに発光して光信号を出力する第２発光ダイオードと、
該第２発光ダイオードの受信信号から前記第１周波数の帯域成分を除去するフィルタ回路と、
送信信号を受けてこの信号と前記第２発光ダイオードの受信信号とに応じて前記第２発光ダイオードを駆動する論理回路とを備え、
前記論理回路は、前記第２発光ダイオードの受信信号の大きさが閾値以下のときに前記送信信号に応じて前記第２発光ダイオードを駆動する一方、前記第２発光ダイオードの受信信号の大きさが閾値以上のときに前記第２発光ダイオードを駆動しないように構成されていることを特長とするＡＶ信号の伝送装置。
【請求項３】
前記第１発光ダイオードと前記第２発光ダイオードとは同一素子構造の部品であることを特徴とする請求項２記載のＡＶ信号の伝送装置。
【請求項４】
前記送信信号は、前記第１周波数と同一周波数又はそれより低い周波数に相当するビットレートのデジタル信号であることを特徴とする請求項２又は３に記載のＡＶ信号の伝送装置。
【請求項５】
前記送信信号は、リモートコントローラのコントロール信号であることを特徴とする請求項４に記載のＡＶ信号の伝送装置。
【請求項６】
映像信号又は音声信号を光信号により伝送するＡＶ信号の通信機であって、
発光して光信号を出力するとともに外部から光を受光して電気信号に変換する第１発光ダイオードと、
アナログの映像信号又は音声信号を受けてこの信号振幅に応じた前記発光手段の駆動信号を生成する駆動回路と、
前記アナログの映像信号又は音声信号の周波数帯域の上限周波数を上回る第１周波数のパルス信号を生成するパルス生成回路と、
受光に基づく前記第１発光ダイオードの受信信号を内部に取り込む入力回路とを備え、
前記パルス信号により前記発光ダイオードの駆動のオン・オフが切り替えられ、オン状態のときに前記発光ダイオードが駆動されて前記駆動信号に応じた発光がなされる一方、オフ状態のときに前記発光ダイオードの受信信号が前記入力回路に取り込まれるように構成されていることを特徴とするＡＶ信号の通信機。
【請求項７】
発光して光信号を出力するとともに外部から光を受光して電気信号に変換する第１発光ダイオードと、アナログの映像信号又は音声信号を受けてこの信号振幅に応じた前記発光手段の駆動信号を生成する駆動回路と、前記アナログの映像信号又は音声信号の周波数帯域の上限周波数を上回る第１周波数のパルス信号を生成するパルス生成回路と、受光に基づく前記第１発光ダイオードの受信信号を内部に取り込む入力回路とを備え、前記パルス信号により前記発光ダイオードの駆動のオン・オフが切り替えられ、オン状態のときに前記発光ダイオードが駆動されて前記駆動信号に応じた発光がなされる一方、オフ状態のときに前記発光ダイオードの受信信号が前記入力回路に取り込まれるように構成された第１通信機から出力される光信号を受けて映像信号又は音声信号を復調するＡＶ信号の通信機であって、
外部から光を受光して電気信号に変換するとともに発光して光信号を出力する第２発光ダイオードと、
該第２発光ダイオードの受信信号から前記第１周波数の帯域成分を除去するフィルタ回路と、
送信信号を受けてこの信号と前記第２発光ダイオードの受信信号とに応じて前記第２発光ダイオードを駆動する論理回路とを備え、
前記論理回路は、前記第２発光ダイオードの受信信号の大きさが閾値以下のときに前記送信信号に応じて前記第２発光ダイオードを駆動する一方、前記第２発光ダイオードの受信信号の大きさが閾値以上のときに前記第２発光ダイオードを駆動しないように構成されていることを特長とするＡＶ信号の通信機。
【請求項８】
光信号により映像信号又は音声信号を伝送するＡＶ信号の伝送方法であって、
映像信号又は音声信号の送信側において、
アナログの映像信号又は音声信号を受けてこの信号振幅に応じて変化する駆動信号を生成し、
前記アナログの映像信号又は音声信号の周波数帯域の上限周波数を上回る第１周波数のパルス信号を生成し、
前記パルス信号により発光ダイオードの駆動のオン・オフを切り替え、オン状態のときに前記駆動信号により発光ダイオードを駆動する一方、オフ状態のときに当該発光ダイオードの受光に基づく受信信号を入力し、
映像信号又は音声信号の受信側において、
発光ダイオードから受光に基づく受信信号を入力し、
この受信信号から前記第１周波数の帯域成分を除去して前記アナログの映像信号又は音声信号を抽出する一方、
前記受信信号の大きさが閾値以下のときに送信信号に基づき前記発光ダイオードを駆動して当該送信信号を光出力することを特長とするＡＶ信号の伝送方法。
【発明の詳細な説明】
【技術分野】
【０００１】
この発明は、映像信号や音声信号を光信号で伝送するＡＶ信号の伝送装置ならびにＡＶ信号の伝送方法に関する。
【背景技術】
【０００２】
以前より、ＡＶ（audiovisual）信号を赤外線などにより離れたところの装置に伝送する技術について種々の提案がなされている。
【０００３】
例えば、特許文献１には、ＬＥＤ（発光ダイオード）の発光によりＡＶ信号を送信してフォトダイオードにより受信する装置において、複数のＬＥＤの中から一番効率の良い方向を向いているＬＥＤを見つけ出してこのＬＥＤに発光信号を送信させる技術が開示されている。また、特許文献２には、映像信号や音声信号をＳＷＦＭ方式で変調し、それを光信号に変換して光ケーブルを介して伝送する技術が開示されている。また、特許文献３には、周波数分割多重により複数の映像信号を重畳して１本の光ケーブルで伝送する技術が開示されている。また、特許文献４には、映像信号とデータ信号とを異なる周波数領域の搬送波で合成してＬＥＤの発光により送信しフォトダイオードにより受信する技術が開示されている。
【特許文献１】特開平９−２１４４３２号公報
【特許文献２】特開平６−２２４８８１号公報
【特許文献３】特開平６−４６０３４号公報
【特許文献４】特開２００２−１５８９８０号公報
【発明の開示】
【発明が解決しようとする課題】
【０００４】
映像信号や音声信号を光信号で伝送する伝送装置を用いて映像音声の視聴を行う場合、ユーザは光信号の受け側において映像音声の視聴を行い、チューナ装置やビデオ装置などの映像信号や音声信号を出力するＡＶ装置は光信号の送信側に離れて設置されるのが通常である。
【０００５】
このような装置配置において、ユーザがリモコン（リモートコントローラ）等でＡＶ装置を遠隔操作するような場合、ユーザは信号の受け側に居るため、遠くにあるＡＶ装置にリモコンを向けてボタン操作を行うよりも、近くにある伝送装置の受信機にリモコンを向けてボタン操作をしたほうが楽な姿勢で操作を行えると考えられる。従って、ＡＶ信号を伝送する伝送装置においてその受け側から送り側へリモコン信号などのデータ送信を行えるようにすると利便性が増す。
【０００６】
しかしながら、リモコン信号の送受信のためだけに発光素子や受光素子ならびに伝送装置の回路を大きな割合で増設したのでは、機能の向上に比べて製品コストが大きく高騰してしまうという課題が生じる。
【０００７】
この発明の目的は、簡単な回路構成および少ない部品点数で低コストにＡＶ信号の伝送とリモコン信号などのデータ通信を可能とするＡＶ信号の伝送装置および伝送方法を提供することにある。
【課題を解決するための手段】
【０００８】
本発明は、上記目的を達成するため、映像信号又は音声信号を光信号により伝送する第１通信機と第２通信機とを有するＡＶ信号の伝送装置であって、前記第１通信機は、発光して光信号を出力するとともに外部から光を受光して電気信号に変換する第１発光ダイオードと、アナログの映像信号又は音声信号を受けてこの信号振幅に応じた前記第１発光ダイオードの駆動信号を生成する駆動回路と、前記アナログの映像信号又は音声信号の周波数帯域の上限周波数を上回る第１周波数のパルス信号を生成するパルス生成回路と、受光に基づく前記第１発光ダイオードの受信信号を内部に取り込む入力回路とを備え、前記パルス信号により前記発光ダイオードの駆動のオン・オフが切り替えられ、オン状態のときに前記発光ダイオードが駆動されて前記駆動信号に応じた発光がなされる一方、オフ状態のときに前記発光ダイオードの受信信号が前記入力回路に取り込まれるように構成され、前記第２通信機は、外部から光を受光して電気信号に変換するとともに発光して光信号を出力する第２発光ダイオードと、該第２発光ダイオードの受信信号から前記第１周波数の帯域成分を除去するフィルタ回路と、送信信号を受けてこの信号と前記第２発光ダイオードの受信信号とに応じて前記第２発光ダイオードを駆動する論理回路とを備え、前記論理回路は、前記第２発光ダイオードの受信信号の大きさが閾値以下のときに前記送信信号に応じて前記第２発光ダイオードを駆動する一方、前記第２発光ダイオードの受信信号の大きさが閾値以上のときに前記第２発光ダイオードを駆動しない構成とした。
【０００９】
このような構成によれば、ＡＶ信号の伝送に使用される発光素子と受光素子とが、例えばリモコン信号などを逆方向に送信するときの発光素子と受光素子として兼用されるのでそれにより部品点数の削減および部品コストの低減を図ることが出来る。また、ＡＶ信号の送信を短いパルスでオン・オフすることで信号の送信期間と受信期間とを切り替える構成なので、回路構成も複雑にならず製造コストの低減を図ることが出来る。
【００１０】
望ましくは、前記第１発光ダイオードと前記第２発光ダイオードとは同一素子構造の部品とすると良い。この部品の共通化により部品コストをさらに低減できるという効果が得られる。
【００１１】
具体的には、前記送信信号は、前記第１周波数と同一周波数又はそれより低い周波数に相当するビットレートのデジタル信号とすることが出来る。このような信号であれば、ＡＶ信号の受信信号に基づいて送信タイミングが切り替えられる構成であっても精度高く信号の送信を行うことが出来る。
【００１２】
さらに具体的には、前記送信信号は、リモートコントローラのコントロール信号とすることが出来る。このような構成により、本発明の伝送装置を用いて、例えば映像再生装置から離れた箇所のテレビ受像装置まで映像信号を伝送するような場合に、テレビ受像装置側にリモコン受光器を置いてその信号を伝送装置を介して映像再生装置へ送ることが出来る。すなわち、ユーザは近くの受光器にリモコンを向けて楽な姿勢でボタン操作を行うことが出来るという効果が得られる。
【００１３】
また、本発明は、上記目的を達成するため、光信号により映像信号又は音声信号を伝送するＡＶ信号の伝送方法であって、映像信号又は音声信号の送信側において、アナログの映像信号又は音声信号を受けてこの信号振幅に応じて変化する駆動信号を生成し、前記アナログの映像信号又は音声信号の周波数帯域の上限周波数を上回る第１周波数のパルス信号を生成し、前記パルス信号により発光ダイオードの駆動のオン・オフを切り替え、オン状態のときに前記駆動信号により発光ダイオードを駆動する一方、オフ状態のときに当該発光ダイオードの受光に基づく受信信号を入力し、映像信号又は音声信号の受信側において、発光ダイオードから受光に基づく受信信号を入力し、この受信信号から前記第１周波数の帯域成分を除去して前記アナログの映像信号又は音声信号を抽出する一方、前記受信信号の大きさが閾値以下のときに送信信号に基づき前記発光ダイオードを駆動して当該送信信号を光出力するものとした。
【００１４】
このような構成により、ＡＶ信号の受信側と送信側とでそれぞれ一個の発光ダイオードを用いてＡＶ信号の伝送を行うとともに、これと並行して例えばリモコン信号などの送信データを逆方向に送信させることが可能となる。また、ＡＶ信号の送信を短いパルスでオン・オフすることで信号の送信と受信とを切り替える構成なので回路構成も複雑にならず、ＡＶ信号の伝送とそれと逆方向の通信とを低コストに実現することが出来る。
【発明の効果】
【００１５】
以上説明したように、本発明に従うと、ＡＶ信号の受信側と送信側とでそれぞれ一個の発光ダイオードを用いてＡＶ信号の伝送を行うことが出来るとともに、それと並行して例えばリモコン信号などのデータ通信を逆方向に行わせることも可能となる。また、ＡＶ信号の伝送のみを行う伝送装置と比較して、回路構成も複雑にならず発光素子や受光素子の増設も必要ないので、このような機能を低コストに実現できるという効果がある。
【発明を実施するための最良の形態】
【００１６】
以下、本発明の実施の形態を図面に基づいて説明する。
【００１７】
図１は、この実施の形態のＡＶ信号の伝送装置を示す回路図、図２は、第１通信機と第２通信機の各部の信号を示した信号波形図である。
【００１８】
この実施の形態のＡＶ信号の伝送装置は、発光手段および受光手段として機能するＬＥＤ１１，２１をそれぞれ１個ずつ備えた第１通信機１０と第２通信機２０とから構成され、第１通信機１０から第２通信機２０へアナログの画像信号（例えばコンポジット信号）を伝送し、第２通信機２０から第１通信機１０へデジタルデータ（例えばリモコンの操作信号）を送信するものである。
【００１９】
第１通信機１０は、発光手段および受光手段として機能するＬＥＤ１１と、アナログ画像信号を受けてＬＥＤ１１の駆動電流を生成する駆動回路１２と、クロック信号ＣＬＫを受けてＬＥＤ１１の駆動電圧の供給・非供給を切り替えるインバータ１３と、クロック信号ＣＬＫに応じて駆動回路１２とＬＥＤ１１との接続を切り替えるスイッチ回路１４と、クロック信号ＣＬＫとＬＥＤ１１からの受信信号を入力して第２通信機２０から送られてきた送信データを取り込む入力回路としてのＡＮＤ回路１５とを備え、ＬＥＤ１１のカソードがスイッチ回路１４を介して駆動回路１２の出力端子とＡＮＤ回路１５の入力端子とに接続され、ＬＥＤ１１のアノードがインバータ１３の出力端子に接続された構成となっている。図示省略しているが、内部にはクロック信号ＣＬＫを生成している回路が設けられ、これによりパルス生成回路が構成されている。
【００２０】
クロック信号ＣＬＫは、画像信号の周波数帯域の上限周波数の２倍以上の周波数（例えば十数ＭＨｚ）のパルス信号であり、第１通信機１０において送信期間と受信期間とを切り替えるように作用する。すなわち、クロック信号ＣＬＫがロウレベルのときが第１通信機の送信期間、クロック信号ＣＬＫがハイレベルのときが第１通信機の受信期間とされる。
【００２１】
スイッチ回路１４は、例えばバイポーラトランジスタやＦＥＴなどから構成され、クロック信号ＣＬＫがロウレベルのときに駆動回路１２とＬＥＤ１１との接続をオンとし、ハイレベルのときに接続をオフとする。
【００２２】
このような構成により、図２（Ａ）〜（Ｄ）の信号波形に示すように、クロック信号ＣＬＫがロウレベルのときには、インバータ１３からＬＥＤ１１のアノードに駆動電圧が供給されるとともに、駆動回路１２からアナログ画像信号の振幅に応じた駆動電流が引き込まれ、それによりＬＥＤ１１からアナログ画像信号の振幅に応じた強度の発光がなされるようになっている。一方、クロック信号ＣＬＫがハイレベルのときには、インバータ１３からＬＥＤ１１へ駆動電圧が供給されずにＬＥＤ１１の発光が停止するようになっている。
【００２３】
また、クロック信号ＣＬＫがハイレベルの期間には、スイッチ回路１４がオフにされてＬＥＤ１１は無バイアス状態となり、外部からの光の入射によりＬＥＤ１１で発生する起電力（受信信号）がＡＮＤ回路１５に入力されて、この受信信号がＡＮＤ回路１５から内部回路に送られるようになっている。一方、クロック信号ＣＬＫがロウレベルのときには、このクロック信号ＣＬＫによりＬＥＤ１１側からの信号がＡＮＤ回路１５において遮断されて内部に送られないようになっている。なお、ＬＥＤ１１の受信信号が小さい場合には、ＬＥＤ１１とＡＮＤ回路１５との間にプリアンプを設け、プリアンプによりＬＥＤ１１の受信信号を増幅してＡＮＤ回路１５に入力されるようにすれば良い。
【００２４】
第２通信機２０は、発光手段および受光手段として機能するＬＥＤ２１と、ＬＥＤ２１の受信信号から上記クロック信号ＣＬＫの周波数成分を除去するローパスフィルタ２２と、ローパスフィルタ２２の出力を増幅するビデオアンプ２３と、ＬＥＤ２１の受信信号を受けてパルス信号を生成するインバータ２５と、このパルス信号と送信データとを入力して論理出力するＮＡＮＤ回路２４と、ＮＡＮＤ回路２４の出力に応じてＬＥＤ２１の駆動電圧を出力するインバータ２５と、ＮＡＮＤ回路２４の出力に応じてＬＥＤ２１とグランド端子との接続をオン・オフするスイッチ回路２７とを備え、ＬＥＤ２１のアノードにインバータ２６の出力端子が、ＬＥＤ２１のカソードにスイッチ回路２７、ローパスフィルタ２２、インバータ２５の入力端子が接続された構成となっている。
【００２５】
ＬＥＤ２１は、第１通信機１０のＬＥＤ１１と同一素子構造の同一部品であり、フォトダイオードと同様に第１通信機１０からの出射光を受光してその光量に応じた起電力を発生させることで電気信号に変換する。ＬＥＤはフォトダイオードと比較して受信感度は低くなるものの、例えば、高輝度ＬＥＤを数十センチ離して光信号の送受信を行わせた場合、受信側のＬＥＤにおいて数百ｍＶの電気信号を発生させることが出来る。このようなＬＥＤ２１により、図２（Ｅ）に示すように、第１通信機１０から送られた光信号とほぼ同波形の信号を得ることが出来る。
【００２６】
そして、この受信信号がローパスフィルタ２２に入力されてクロック信号ＣＬＫの周波数成分が除去され、ビデオアンプ２３でゲイン調整されることでアナログの画像信号が復元される。上述のように、クロック信号ＣＬＫの周波数はアナログ画像信号の周波数帯域の上限周波数の２倍以上の周波数であるため、ローパスフィルタ２２の作用により画像信号の波形をほぼ劣化なく抽出することが出来る。
【００２７】
また、図２（Ｆ）に示すように、ＬＥＤ２１からの受信信号はインバータ２５に入力されることで、該インバータ２５により第１送信機１０のクロック信号ＣＬＫと同調したパルス信号が生成される。インバータ２５の閾値電圧は、第１通信機１０のＬＥＤ１１が発光強度が弱いときにもその発光時にターンオフするように低く設定されている。なお、ＬＥＤ２１の受信信号が小さすぎるときには、受信信号を増幅するプリアンプを設けて、該プリアンプにより増幅された信号がインバータ２５に入力するように構成しても良い。
【００２８】
インバータ２５から出力されるパルス信号は、第２通信機２０の送信期間と受信期間とを切り替えるように作用し、すなわち、パルス信号がハイレベルの期間が送信期間に、ロウレベルの期間が受信期間とされる。
【００２９】
そして、図２（Ｇ），（Ｈ）に示すように、データの送信期間には、ＮＡＮＤ回路２４の一方の入力端子に入力されたデジタルの送信データがインバータ２６に出力されて、送信データがハイレベルのときにＬＥＤ２１に駆動電圧が出力される。さらに、これと同時にスイッチ回路２７がオンされてＬＥＤ２１に駆動電流が流れ、ＬＥＤ２１が発光するようになっている。ここで、送信データは、例えば、リモコンの操作内容を表わすコマンドコードなどであり、そのビットレートはクロック信号ＣＬＫの周波数に相当するビットレートと比べて小さなものである。一方、送信データがロウレベルのときにはＬＥＤ２１に駆動電圧は供給されずにＬＥＤ２１から発光は行われないようになっている。
【００３０】
そして、図２（Ｈ）に示すような第２光信号が、第１通信機１０のＬＥＤ１１に受信されて第１通信機１０の受信期間にＡＮＤ回路１５を介して内部回路に送られるようになっている。
【００３１】
以上のように、この実施の形態のＡＶ信号の伝送装置によれば、例えば、互いに離れたところに設置されているビデオ装置とテレビ受像装置にそれぞれ第１通信機１０と第２通信機２０とを接続して、ビデオ装置からテレビ受像装置へ画像信号を送って視聴を行うとともに、第２通信機２０にビデオ装置のリモコン受光器を接続して、リモコン信号を第２通信機２０と第１通信機１０を介してビデオ装置に送るようにすることが出来る。これにより、ユーザは画像の視聴を行っているテレビ受像装置の側でリモコンを近くの受光機に向けて楽な姿勢で操作することが出来るという効果が奏される。
【００３２】
また、このような画像信号の伝送と、リモコン信号等のデータ送信とを、第１および第２通信機１０，２０にそれぞれ１個ずつ設けられたＬＥＤ１１，２１の発光と受光とにより行う構成なので、ＡＶ信号の伝送のみを行う伝送装置と比較して、伝送装置全体の部品点数や部品コストをさほど増加させることがなく、また、クロック信号ＣＬＫにより第１通信機１０と第２通信機２０の送信期間と受信期間とを切り替える構成なので、回路構成も複雑にならず、製品コストの低減を図ることが出来る。
【００３３】
なお、本発明は、上記実施の形態に限られるものではなく、様々な変更が可能である。例えば、上記の実施の形態では、伝送されるＡＶ信号としてコンポジット信号などの画像信号を例示したが、例えばアナログの音声信号を伝送したり、映像信号と音声信号とを独自の方式で重畳したアナログ信号を伝送することも出来る。また、ＡＶ信号と逆方向に送られる送信データもリモコン信号に限られず、例えば、テレビ受像装置からＡＶ装置を制御するためのコマンドコードなど、種々の信号を送ることも出来る。
【００３４】
また、第１通信機１０と第２通信機２０において、それぞれ受信期間にＬＥＤ１１，２１が無バイアスになるようにして光受信を行う構成としているが、これらの期間にＬＥＤ１１，２１に逆バイアスが印加されるようにしても良いし、ＬＥＤ１１，２１で発生された起電力を電圧に変換する回路を設けてこの電圧を受信信号とするようにしても良い。また、第１通信機１０の駆動回路１２として、ＬＥＤ１１から電流を引き込む回路を例示したが、例えば、画像信号の振幅にほぼ比例した駆動電圧を生成してこの駆動電圧によりＬＥＤ１１に画像信号の振幅に応じた駆動電流が流れるように構成しても良い。その他、実施の形態で示した細部構造等は、発明の趣旨を逸脱しない範囲で適宜変更可能である。
【図面の簡単な説明】
【００３５】
【図１】本発明の実施の形態のＡＶ信号の伝送装置を示す回路構成図である。
【図２】各部の信号を説明する信号波形図である。
【符号の説明】
【００３６】
１０    第１通信機
１１    ＬＥＤ
１２    駆動回路
１３    インバータ
１４    スイッチ回路
１５    ＡＮＤ回路
２０    第２通信機
２１    ＬＥＤ
２２    ローパスフィルタ
２３    ビデオアンプ
２４    ＮＡＮＤ回路
２５，２６  インバータ
２７    スイッチ回路
【図１】
2006332846.tif 000003
【図２】
2006332846.tif 000004